(57)【要約】【課題】内筒を外筒に対して着脱可能とした落し棒の受具において、構造が簡単で破損するおそれがなく、内筒の底部より下部への塵埃の集積も防止しうる構造のものを提供する。【解決手段】地盤に固定する外筒１０と、この外筒１０に嵌め込む内筒１１とからなる。内筒１０を外筒１１に螺合により着脱可能に嵌合する。内筒１１の頂部にコイン１６を用いて内筒１１を回動可能とする溝１５を設ける。内筒１１を外筒１０に螺合する構造であるため、内筒１１が外筒１０から浮き上がらず、内筒１１の下部に塵埃が集積しない。また、工具を要せず、コイン１６により内筒１１を容易に着脱することができる。【選択図】図３
2007198063.tif 000002
【特許請求の範囲】
【請求項１】
地盤に固定する外筒と、この外筒に嵌め込む内筒とからなり、
前記内筒を前記外筒に螺合により着脱可能に嵌合し、
前記内筒の頂部にコインを用いて前記内筒を回動可能とする溝を設けたことを特徴とする落し棒の受具。
【請求項２】
請求項１に記載の落し棒の受具において、
前記内筒と前記外筒の一方に螺子部を形成し、他方にその螺子部の溝に嵌まる突起を形成したことを特徴とする落し棒の受具。
【請求項３】
請求項２に記載の落し棒の受具において、
前記内筒が最下位置において前記突起が嵌まる前記螺子部の端部を水平に形成したことを特徴とする落し棒の受具。
【請求項４】
請求項１から３までのいずれか記載の落し棒の受具において、
前記内筒はその頂部に鍔を有することを特徴とする落し棒の受具。
【発明の詳細な説明】
【技術分野】
【０００１】
本発明は、門扉や柵等を閉めた状態において固定するための落し棒を受ける受具に関する。
【背景技術】
【０００２】
門扉においては、開閉される門扉の先端の下部に上下動可能に落し棒を取付け、門扉を設置するコンクリート等でなる地盤には、この落し棒を落し込んで門扉を固定する受具を設ける。従来はこの受具はコンクリート等の地盤に固定して埋め込まれていた。しかしながら、この受具には土砂等の塵埃が溜まり、このため、落し棒が受具に十分に嵌まり込まなくなり、落し棒による門扉の固定が不十分あるいは不可能となる。
【０００３】
このような不具合を解消するため、特許文献１においては、受具を外筒と内筒に分け、外筒は地盤に固定し、内筒は外筒に着脱可能に嵌合し、内筒の頂部には内筒を引き上げるための取手（把持具）を起伏可能に取付けた受具が提案されている。
【０００４】
【特許文献１】実開平４−５９２６９号公報
【発明の開示】
【発明が解決しようとする課題】
【０００５】
前記従来の受具は内筒の頂部に取手を起伏可能に取付けたものであるが、落し棒は直径が１ｃｍ程度のものであり、内筒に取付けられる取手もこれに合わせて小型に構成されるものであり、構造が複雑である上、この小型の取手が人や物の通過する門扉設置部に配置されるため、履物や物の衝突により破損する虞がある。
【０００６】
また、外筒に対して内筒は単に嵌合したもので、内筒は外筒に対して上下動可能であり、長期使用により例えば塵埃を含んだ水の流れこみ等により、内筒が浮き上がった状態になると内筒の底部の下部に塵埃が溜まりやすいという問題点がある。
【０００７】
本発明は、上記した事情に鑑み、内筒を外筒に対して着脱可能とした落し棒の受具において、構造が簡単で破損するおそれがなく、内筒の底部より下部への塵埃の集積も防止しうる構造のものを提供することを目的とする。
【課題を解決するための手段】
【０００８】
請求項１の落し棒の受具は、地盤に固定する外筒と、この外筒に嵌め込む内筒とからなり、
前記内筒を前記外筒に螺合により着脱可能に嵌合し、
前記内筒の頂部にコインを用いて前記内筒を回動可能とする溝を設けたことを特徴とする。
【０００９】
請求項２の落し棒の受具は、請求項１の落し棒の受具において、
前記内筒と前記外筒の一方に螺子部を形成し、他方にその螺子部の溝に嵌まる突起を形成したことを特徴とする。
【００１０】
請求項３の落し棒の受具は、請求項２に記載の落し棒の受具において、
前記内筒が最下位置において前記突起が嵌まる前記螺子部の端部の溝を水平に形成したことを特徴とすることを特徴とする。
【００１１】
請求項４の落し棒の受具は、請求項１から３までのいずれか記載の落し棒の受具において、
前記内筒はその頂部に鍔を有することを特徴とする。
【発明の効果】
【００１２】
請求項１の発明によれば、内筒が外筒に対して外すことができるので、内筒を外して反転させることにより、内筒の中の塵埃を除去しうることは勿論のこと、内筒は外筒に対して螺合構造で着脱可能に固定されるようにしたので、内筒が外筒に対して浮き上がることがなく、内筒の底部とその下の部分との間に塵埃が集積されることが防止され、長期にわたり、落し棒の固定作用を確保することができる。
【００１３】
また、内筒の頂部に溝を設けてコインにより内筒を回動可能としたので、回動のための構造が簡単であり、破損のおそれがないうえ、工具を要することなく内筒を着脱することができる。
【００１４】
請求項２の発明によれば、内筒と外筒の一方に螺子部を形成し、他方にその螺子部の溝に嵌まる突起を形成したので、内筒と外筒の双方に螺子部を設ける場合に比較し、螺子部の寸法精度を高くする必要がなく、製造が容易となる。
【００１５】
請求項３の発明によれば、前記内筒が最下位置において前記突起が嵌まる螺子部の端部（上部または下部）の溝を水平に形成したので、落し棒を上げる際に落し棒と内筒との摩擦によって内筒を上昇させようとする力が内筒を回転させる分力を発生させず、内筒の上がりを防止できる。
【００１６】
請求項４の発明によれば、内筒の上部に鍔を設けたので、内筒の強度が上がる上、内筒が外筒に対して上昇すれば鍔が取手となり、内筒の着脱が容易となる。
【発明を実施するための最良の形態】
【００１７】
図１は本発明による落し棒受具を適用する門扉の一例図である。１はコンクリート等の地盤２に立てた支柱、３は左右の支柱１にそれぞれ枢着部４を中心に開閉自在に取付けた門扉、５は一方の門扉３の先端部の下部に昇降可能に取付けた落し棒、６はこの落し棒５を嵌め込んで門扉３を固定する受具である。なお門扉としてはこの例で示す観音開き式のもの以外に、伸縮式、引き戸式、折り畳み式等があり、いずれの場合にも落し棒５と受具６による門扉の固定構造が採用される。
【００１８】
図２は本発明による受具６の一実施の形態を落し棒５と共に示す側面図である。図２に示すように、門扉３の先端の縦框３ａにねじ９により落し棒５の取付け金具７が取付けられる。この取付け金具７は、上下の水平部７ａ、７ｂにそれぞれ落し棒５の取付け穴７ｃ、７ｄを有し、下部の取付け穴７ｄは一部が切開されて落し棒５のハンドル５ａが通過しうる溝７ｅを形成している。そして門扉３を落し棒５により固定していないときは、落し棒５のハンドル５ａを取付け金具７の下方の水平部７ｂ上に載せ、落し棒５を受具６に落とす際にはハンドル５ａを回し、このハンドル５ａを溝７ｅに通して降下させる。
【００１９】
図２および図３（Ａ）に示すように、受具６は地盤２に埋設固定される外筒１０とこの外筒１０に着脱可能に内嵌めされる内筒１１とからなる。図４に示すように外筒１０は円筒形をなし、内面にプレス成形により内方に突出した突起１２を設けている。なおこの突起１２は別部材の溶接や取付けによっても設けることができる。
【００２０】
図５に示すように、内筒１１は外筒１０の突起１２に嵌まる溝からなる螺子部１３を有する。本実施の形態においてはこの螺子部１３の上部に水平部１３ａを設けている。内筒１１の頂部に鍔１４を有し、この鍔１４の対抗する２箇所に溝１５を設けている。この溝１５はコイン１６を嵌めて内筒１１を回すためのものである。図５（Ａ）、（Ｂ）に示すように、この鍔１４の内周部は落し棒５の挿入を容易にするためのテーパー部１４ａを形成し、溝１５もコイン１６の挿入深さを確保するために傾斜部１５ａを設けている。
【００２１】
図３（Ａ）、（Ｂ）に示すように、この受具６は、コイン１６を内筒１１の溝１５に嵌めて回すことにより、内筒１１の螺子部１３の溝が外筒１０の突起１２に嵌りこみ、摺動しながら外筒１０に対して内筒１１が上下動する。このため、内筒１１を外筒１０に対して固定あるいは外すことができる。
【００２２】
本実施の形態の受具６は、内筒１１を回して外筒１０から内筒１１を外し、内筒１１の上下逆さまにし、必要に応じて振動させることにより、内筒１１に溜まる土砂等の塵埃を除去することができる。したがって内筒１１に溜まる塵埃によって落し棒５の固定作用が損なわれることがない。
【００２３】
また、内筒１１は外筒１０に対して螺合構造で着脱可能に固定されるようにしたので、内筒１１が外筒１０に対して浮き上がることがなく、内筒１１の下の部分に塵埃が集積されることが防止され、長期にわたり、落し棒の固定作用を確保することができる。
【００２４】
また、内筒１１の頂部に溝１５を設けてコイン１６により内筒１１を回動可能としたので、回動のための構造が簡単であり、破損のおそれがないうえ、工具を要することなく内筒１１を着脱することができる。なお、溝１５にドライバを嵌めて回すことは可能である。
【００２５】
本発明を実施する場合、前記内筒１１と外筒１０の双方に螺子部を形成して螺合する構造にしてもよい。しかし、本実施の形態のように、内筒１１に螺子部１３を形成し、外筒１０にその螺子部１３の溝に嵌まる突起１２を形成したので、螺子部１３の寸法精度を高くする必要がなく、製造が容易となる。
【００２６】
また、本実施の形態と異なり、外筒１１に雌ねじを設け、内筒１１に突起を設けてもよい。ただし、本実施の形態のように、外筒１０に突起１２を形成する構造とすれば、突起１２は、内筒１１側に突起を設ける場合に比較してプレス成形により容易に形成できるという利点がある。また、本実施の形態のように内筒１１に螺子部１３を形成する場合、プラスチックにより容易に成形でき、また、外筒１０は金属により容易に作製できる。ただし本発明において、外筒１０、内筒１１はこれらの材質に限定されるものではない。
【００２７】
また、本実施の形態においては、内筒１１が最下位置において突起１２が嵌まる螺子部１３の端部（本実施の形態では上部）を水平に形成したので、落し棒５を上げる際に落し棒５と内筒１１との摩擦によって内筒１１を上昇させようとする力が内筒１１を回転させる分力を発生させず、内筒１１の上がりを防止できる。
【００２８】
また、本実施の形態においては、内筒１１の上部に鍔１４を設けたので、内筒１１の強度が上がる上、内筒１１が外筒１０に対して上昇すれば鍔１４が取手となり、内筒１１の着脱が容易となる。
【図面の簡単な説明】
【００２９】
【図１】本発明の落し棒の受具を適用する門扉の一例を示す正面図である。
【図２】本発明による落し棒の受具の一実施の形態を落し棒と共に示す側面図である。
【図３】（Ａ）は本発明による落し棒の受具の一実施の形態を示す斜視図、（Ｂ）はその内筒のコインによる回動を示す斜視図である。
【図４】（Ａ）は本実施の形態の外筒の斜視図、（Ｂ）、（Ｃ）はそれぞれ（Ａ）のＥ−Ｅ、Ｆ−Ｆ断面図である。
【図５】（Ａ）は本実施の形態の内筒の斜視図、（Ｂ）はその縦断面図、（Ｃ）はその下部の螺子部を示す側面図である。
【符号の説明】
【００３０】
１：支柱、２：地盤、３：門扉、４：枢着部、５：落し棒、６：受具、７：取付け金具、９：ねじ、１０：外筒、１１：内筒、１２：突起、１３：螺子部、１３ａ：水平部、１４：鍔、１５：溝、１６：コイン
【図１】
2007198063.tif 000003
【図２】
2007198063.tif 000004
【図３】
2007198063.tif 000005
【図４】
2007198063.tif 000006
【図５】
2007198063.tif 000007